(57)【要約】      （修正有）【課題】従来の吸盤は、濡れた状態若しくは乾燥した状態の凹凸あるコンクリ−ト面並びにモルタル面及びタイル面に連続長時間強力吸着させられることができなかった。【解決手段】吸着部材はスポンジ系若しくはエラストマ−系素材で、連続吸着装置の冶具保持機構間を薄板により連結し、相互に吸着面への吸着付勢力を強め、安定性を高めた。この吸盤部をソフトチュ−ブで連結し、ソフトチュ−ブを小型真空ポンプに取り付け、小型モ−タ−を作動させ真空吸引する方式により吸着力を高め、負荷荷重による横滑りを押さえ、連続して強力吸着する真空装置を具備する独立し１体化された脱着が容易な小型万能強力吸着吸盤装置。【選択図】図１
2010266043.tif 000002
【特許請求の範囲】
【請求項１】
硬化したコンクリ−ト或いはモルタルの表面状態が濡れている場合、若し
くは乾燥している場合にいおいて、１０日以上数ヶ月間連続して安定吸着で
きることを特徴とした、移動が容易なコンクリ−ト面並びにモルタル面及び
タイル面に対し吸着する形状及びデザインが自由設計できる小型連続強力吸着吸盤装置。
【請求項２】
吸着部材はスポンジ系若しくはエラストマ−系素材で、連続吸着装置の冶
具保持機構間を薄板により連結し、相互に吸着面への吸着付勢力を強め、安
定性を高めたことを特徴とした請求項１に記載するコンクリ−ト面並びにモ
ルタル面及びタイル面に対し吸着する小型連続強力吸着吸盤装置。
【請求項３】
小型連続吸盤装置に保護カバ−を設け、防水効果及び装置落下の破損防止
効果を高め、緑色ランプ点灯により安全作動確認ができる請求項１及び２に
記載のコンクリ−ト面並びにモルタル面及びタイル面に対し吸着する小型連
続強力吸着吸盤装置。
【請求項４】
小型連続吸盤装置において、吸着部材内部に本吸盤装置を吸着させるコン
クリ−ト及びモルタルの硬化後、吸着シ−ル材内部に内壁を具備し、濡れた
吸着面に起こる横滑り防止効果を持つこと及び本体プラスチックカバ−を外
部に向け常に開かせ、外力を働かせながら取り付け物体の緩みを止め、随意
取り付ける物体を定着させ、スプリングピンを用いて安定して止められるこ
とを特徴とした請求項１〜３に記載するコンクリ−ト面並びにモルタル面及
びタイル面に対し吸着する小型連続強力吸着吸盤装置。
【発明の詳細な説明】
【技術分野】
【０００１】
本発明は、ＤＣ６Ｖ電源を用いた小型モ−タ−並びに小型真空ポンプ及び吸
引ソフトチューブ収納部、吸盤及び吸盤収納部からなる一体化した負荷荷重可能な小型連続強力吸着吸盤装置の提供に関する。
【背景技術】
【０００２】
従来の吸盤は、小型化しているものの、コンクリ−ト及びモルタル面に連続
して長時間吸着できる吸盤は見られず、刷機等の部品として紙を吸着させ搬送
させる用途に用いられてきた。
当該発明の属する分野にある従来の技術を記載します。
【先行技術文献】
【特許文献】
【０００３】
【特許文献１】特開2003−212340号公報
【特許文献２】特開2004−359195号公報
【特許文献３】特開2007−253890号公報
【特許文献４】特開2009−066509号公報
【特許文献５】実用新案登第3143091号公報
【発明の概要】
【発明が解決しようとする課題】
【０００４】
しかしながら、従来の吸盤は、コンクリ−ト及びモルタル面に連続長時間強
力吸着させられることが出来ず、特にコンクリ−ト面並びにモルタル面及びタ
ルの乾燥した凹凸面及び濡れた凹凸面に吸着させ、強力な吸引力で吸盤の滑り
を止めることは難しく、用途も限られたために困難な開発作業と複雑さを回避
し開発に触れないという欠点があった。
【０００５】
本発明は、このような従来の問題点に着目してなされたものであり、特に乾
燥した状態のコンクリ−ト若しくは濡れた状態のコンクリ−ト及びモルタル表
面に、おいて垂直耐荷重300g以上で、荷重による滑り移動はなく、８００時間
程度連続強力吸着でき、安定吸着できる軽量で脱着が容易なコンクリ−ト面並
びにモルタル面及びタイル面に対し吸着する小型万能強力吸着吸着吸盤装置を
提供することを目的とすることで、上記課題を解決する。
【課題を解決するための手段】
【０００６】
本発明は、ゴム系スポンジ材若しくはエラストマ−系素材を有効に用い、ケ
−スに収納し素材の保護にあたる。
この吸盤部をソフトチュ−ブで連結し、ソフトチュ−ブを小型真空ポンプに
取り付け、小型モ−タ−を作動させ真空吸引する方式により吸着力を高め、負
荷荷重による横滑りを押さえ、連続して強力吸着する真空装置を具備する独立
し１体化された脱着が容易な小型万能強力吸着吸盤装置。
【０００７】
防水ケ−スに収納された小型モ−タ−の作動とともに小型真空ポンプが働き、
吸盤ゴム吸引部の真空度を40kpaまで引き上げ、300g以上の負荷荷重に耐え、
吸着装置の耐久時間を８００時間程度連続吸着維持できる。
【発明の効果】
【０００８】
乾燥状態のコンクリ−トや濡れた状態のコンクリ−トに吸着し、連続維持で
きることにより、土木工事並びに建築工事の仮設養生用機材及びロボット足部
分部品等に利用することで作業内容及び品質が大幅に改良でき、工事期間短縮
並びに作業工程削減及び工事費の削減により最も効率の良い工事が出来、実用
性にも、安全性にも富んだ優れもののコンクリ−ト強力吸着吸盤装置である。
【図面の簡単な説明】
【０００９】
【図１】本発明に係る全体イメ−ジ図である。
【図２】本発明に係る吸着部平面詳細図である。
【図３】本発明に係る正面立面図である。
【図４】本発明に係るＡ〜A断面図である。
【図５】本発明に係る頭部平面図である。
【図６】本発明に係る押さえスプリングピン平面詳細図である。
【図７】本発明に係るＢ〜Ｂ断面図である。
【発明を実施するための形態】
【実施例１】
【００１０】
本発明の図（１）は、コンクリ−ト強力吸着吸盤によるもので、コンクリ−
トコンクリ−ト面並びにモルタル面及びタイル面に対し吸着するゴム部分と、
本体を保護及びシ−ト等受け部で構成するプラスチック部材が全体に外側にや
や開いて、外力が加わった状態に止めグを装着させる。内部円筒は、真空ポン
プを内蔵し、真空室を備えた本体部分を保護するカバ−で構成する全体吸盤製
品外観透視図である。
【実施例２】
【００１１】
本発明実施例2による図（２）は、コンクリ−トに吸着する分を見上げた見
上げ平面図によるもので、図（４）及び図（８）の状態が、電気を通電させス
イッチＯＮすることにより強力にコンクリ−トに吸着する。
【実施例３】
【００１２】
本発明の実施例１及び２を完全に満足させるため、本体はプラスチック材で
外周を保護し、内部はラバ−による保護材を備えた。用途に応じた使用方法に
より、負荷させる部分を強固にし、スプリングピンで固定させ緑色ランプ点灯
により安全を確認出来るように工夫し、１回路３〜４個程度装着するものとし、
回路毎に通電と共に全てが安全で正確に作動することができ、電源を切ること
により全て停止し、緑色ランプが消え吸盤は吸着面から離れ易くなり離れる。
【産業上の利用可能性】
【００１３】
本コンクリ−ト吸着吸盤は、コンクリ−ト表面が濡れた状態並びに乾燥した状態及びモルタル表面が濡れた状態並びに乾燥した状態のほか凹凸あるタイル面に強力に吸着でき、約８００時間維持できる。従来は全く不可能とされた部分に吸着し、長時間維持することができることにより、土木及び建築工事のコンクリ−トの養生及び機材の一時取り付けに役立ち、仮設工事費の大幅削減することが出来る。更に建築物の外壁及びガラス面等の洗浄時の高所作業のロボット作成等に用いることが出来従来からの課題の解決を図ることができ、社会に大きく貢献することができる。
【符号の説明】
【００１４】
１・・・プラスチックケ−ス
２・・・取り付け材受け顎
３・・・吸着接触面シ−ル材
４・・・真空部
５・・・真空ポンプ
６・・・空間部
７・・・駆動部保護カバ−ゴム材
８・・・衝撃防止シ−ル材
９・・・真空シ−ル材
１０・・・取り付け材押さえスプリングピン
１１・・・電源LED
１２・・・安全確認緑色ランプ
【図２】
2010266043.tif 000003
【図３】
2010266043.tif 000004
【図４】
2010266043.tif 000005
【図５】
2010266043.tif 000006
【図６】
2010266043.tif 000007
【図７】
2010266043.tif 000008
【図１】
2010266043.tif 000009